(57)【要約】【課題】連続紙を変位させる場合に、連続紙の変位を制限する部材を設けない場合と比較して、像保持部に連続紙が接触することを抑制する。【解決手段】搬送方向に連続する連続紙を介して像保持部に接離可能に対向し、像保持部に保持された画像を連続紙に転写する転写部と、転写部が像保持部から離れた際に、連続紙を像保持部に近づくように変位させる変位部と、変位部により変位される連続紙が像保持部に接触する前に、変位方向の下流側から連続紙に接触する接触部と、を備える画像形成装置。【選択図】図４
2020154265.tif 000002
【特許請求の範囲】
【請求項１】
搬送方向に連続する連続紙を介して像保持部に接離可能に対向し、当該像保持部に保持された画像を連続紙に転写する転写部と、
前記転写部が前記像保持部から離れた際に、連続紙を当該像保持部に近づくように変位させる変位部と、
前記変位部により変位される連続紙が前記像保持部に接触する前に、変位方向の下流側から連続紙に接触する接触部と、
を備える画像形成装置。
【請求項２】
前記変位部は、前記転写部よりも前記搬送方向の下流側で連続紙を変位させ、
前記接触部は、前記転写部よりも前記搬送方向の下流側、且つ前記変位部よりも当該搬送方向の上流側で連続紙に接触することを特徴とする請求項１に記載の画像形成装置。
【請求項３】
前記接触部は、前記変位部が連続紙を変位させない場合には、連続紙に接触していないことを特徴とする請求項２に記載の画像形成装置。
【請求項４】
前記転写部よりも前記搬送方向の下流側に設けられ、画像が転写された連続紙に接触して加熱する加熱部をさらに備え、
前記変位部は、連続紙を変位させることで、前記加熱部と連続紙とが接触する領域を短くすることを特徴とする請求項２に記載の画像形成装置。
【請求項５】
前記転写部と前記像保持部とが対向する対向位置に対して、連続紙が当該転写部側から進入することを特徴とする請求項２に記載の画像形成装置。
【請求項６】
前記転写部よりも前記搬送方向の上流側に設けられ、前記変位方向の下流側から連続紙に接触することで、前記対向位置に対して連続紙を当該転写部側から進入させる第２接触部を備えることを特徴とする請求項５に記載の画像形成装置。
【請求項７】
前記転写部は、前記像保持部から離れた場合に、前記変位部により変位された連続紙に接触しないことを特徴とする請求項１に記載の画像形成装置。
【請求項８】
前記転写部よりも前記搬送方向の上流側に設けられ、当該転写部が前記像保持部から離れた場合に、前記変位方向の上流側から連続紙に接触することで連続紙を当該転写部に接触させない第３接触部を備えることを特徴とする請求項７に記載の画像形成装置。
【請求項９】
搬送方向に連続する連続紙を介して像保持部に接離可能に対向し、当該像保持部に保持された画像を連続紙に転写する転写部と、
前記転写部が前記像保持部から離れる場合に、連続紙を当該像保持部に近づくように変位させる変位部と、
前記変位部と前記像保持部との間に設けられ、当該変位部が連続紙を変位させる場合に当該像保持部側の連続紙の変位を制限する制限部と
を備える画像形成装置。
【発明の詳細な説明】
【技術分野】
【０００１】
本発明は、画像形成装置に関する。
【背景技術】
【０００２】
従来技術として、特許文献１には、連帳紙に対して画像を形成する画像形成装置が開示されている。
【先行技術文献】
【特許文献】
【０００３】
【特許文献１】特開２０１８−１６４３１号公報
【発明の概要】
【発明が解決しようとする課題】
【０００４】
搬送方向に連続する連続紙に対して画像を形成する画像形成装置では、例えば画像形成動作を停止した際に、像保持部から転写部を離隔させるとともに、連続紙を像保持部に近づくように変位させる場合がある。そして、連続紙を変位させると、連続紙が像保持部の表面に接触し像保持部の表面に傷が生じるおそれがある。
本発明は、連続紙を変位させる場合に、連続紙の変位を制限する部材を設けない場合と比較して、像保持部に連続紙が接触することを抑制することを目的とする。
【課題を解決するための手段】
【０００５】
請求項１に記載の発明は、搬送方向に連続する連続紙を介して像保持部に接離可能に対向し、当該像保持部に保持された画像を連続紙に転写する転写部と、前記転写部が前記像保持部から離れた際に、連続紙を当該像保持部に近づくように変位させる変位部と、前記変位部により変位される連続紙が前記像保持部に接触する前に、変位方向の下流側から連続紙に接触する接触部と、を備える画像形成装置である。
請求項２に記載の発明は、前記変位部は、前記転写部よりも前記搬送方向の下流側で連続紙を変位させ、前記接触部は、前記転写部よりも前記搬送方向の下流側、且つ前記変位部よりも当該搬送方向の上流側で連続紙に接触することを特徴とする請求項１に記載の画像形成装置である。
請求項３に記載の発明は、前記接触部は、前記変位部が連続紙を変位させない場合には、連続紙に接触していないことを特徴とする請求項２に記載の画像形成装置である。
請求項４に記載の発明は、前記転写部よりも前記搬送方向の下流側に設けられ、画像が転写された連続紙に接触して加熱する加熱部をさらに備え、前記変位部は、連続紙を変位させることで、前記加熱部と連続紙とが接触する領域を短くすることを特徴とする請求項２に記載の画像形成装置である。
請求項５に記載の発明は、前記転写部と前記像保持部とが対向する対向位置に対して、連続紙が当該転写部側から進入することを特徴とする請求項２に記載の画像形成装置である。
請求項６に記載の発明は、前記転写部よりも前記搬送方向の上流側に設けられ、前記変位方向の下流側から連続紙に接触することで、前記対向位置に対して連続紙を当該転写部側から進入させる第２接触部を備えることを特徴とする請求項５に記載の画像形成装置である。
請求項７に記載の発明は、前記転写部は、前記像保持部から離れた場合に、前記変位部により変位された連続紙に接触しないことを特徴とする請求項１に記載の画像形成装置である。
請求項８に記載の発明は、前記転写部よりも前記搬送方向の上流側に設けられ、当該転写部が前記像保持部から離れた場合に、前記変位方向の上流側から連続紙に接触することで連続紙を当該転写部に接触させない第３接触部を備えることを特徴とする請求項７に記載の画像形成装置である。
請求項９に記載の発明は、搬送方向に連続する連続紙を介して像保持部に接離可能に対向し、当該像保持部に保持された画像を連続紙に転写する転写部と、前記転写部が前記像保持部から離れる場合に、連続紙を当該像保持部に近づくように変位させる変位部と、前記変位部と前記像保持部との間に設けられ、当該変位部が連続紙を変位させる場合に当該像保持部側の連続紙の変位を制限する制限部とを備える画像形成装置である。
【発明の効果】
【０００６】
請求項１、２に記載の発明によれば、連続紙を変位させる場合に、連続紙の変位を制限する部材を設けない場合と比較して、像保持部に連続紙が接触することが抑制される。
請求項３に記載の発明によれば、変位部が連続紙を変位させない場合に接触部が連続紙に接触している場合と比べて、連続紙に形成された画像の乱れが抑制される。
請求項４に記載の発明によれば、変位部により加熱部と連続紙とが接触する領域を短くしない場合と比べて、加熱部から連続紙に熱が伝わることが抑制される。
請求項５、６に記載の発明によれば、対向位置に対して連続紙が転写部側から進入しない場合と比べて、像保持部に連続紙が接触することがより抑制される。
請求項７、８に記載の発明によれば、像保持部から離れた転写部が連続紙に接触する場合と比べて、連続紙に汚れが付着することが抑制される。
請求項９に記載の発明によれば、連続紙を変位させる場合に、連続紙の変位を制限する部材を設けない場合と比較して、像保持部に連続紙が接触することが抑制される。
【図面の簡単な説明】
【０００７】
【図１】実施の形態１が適用される画像形成装置の全体構成を示した図である。
【図２】実施の形態１が適用される定着部を示した図である。
【図３】（ａ）、（ｂ）は、定着部の動作を説明するための図である。
【図４】（ａ）、（ｂ）は、二次転写装置、定着部および案内部を構成する各部材の位置関係を説明する図である。
【図５】実施の形態２が適用される二次転写装置、定着部および案内部を構成する各部材を示した図である。
【発明を実施するための形態】
【０００８】
以下、添付図面を参照して、本発明の実施の形態について詳細に説明する。
（実施の形態１）
図１は、実施の形態１が適用される画像形成装置１の全体構成を示した図である。なお、以下の説明において、図１における上から下へ向かう方向を鉛直方向と表記する場合がある。
画像形成装置１は、連続紙Ｐを予め定められた搬送方向へ搬送しながら、この連続紙Ｐに画像を形成する。連続紙Ｐとは、搬送方向に連続する長尺状の記録媒体である。画像形成装置１は、図１に示すように、連続紙Ｐに画像を形成する画像形成部１０と、画像形成部１０により形成された画像を連続紙Ｐに定着する定着部４０と、連続紙Ｐを搬送する搬送部５０と、搬送部５０により搬送される連続紙Ｐを案内する案内部６０と、画像形成装置１の各部の制御を行う制御部７０と備えている。
【０００９】
画像形成部１０は、例えば電子写真方式にて各色トナー像を形成する複数（本実施の形態では、４つ）の画像形成ユニット１１（具体的には、１１Ｙ、１１Ｍ、１１Ｃ、１１Ｋ）と、各画像形成ユニット１１で形成された各色トナー像を一次転写して保持させる像保持部の一例としての中間転写ベルト２０と、中間転写ベルト２０に一次転写された重ねトナー像を記録材の一例としての用紙に二次転写する二次転写装置３０とを有している。
【００１０】
各画像形成ユニット１１すなわちイエロー（Ｙ）の画像形成ユニット１１Ｙ、マゼンタ（Ｍ）の画像形成ユニット１１Ｍ、シアン（Ｃ）の画像形成ユニット１１Ｃおよび黒（Ｋ）の画像形成ユニット１１Ｋは、使用されるトナーの色を除き、共通の構成を有している。
それぞれの画像形成ユニット１１は、矢印Ａ方向に回転可能に設けられた感光体ドラム１２を具備している。また、それぞれの画像形成ユニット１１は、この感光体ドラム１２の周囲に矢印Ａ方向に沿って設けられた、帯電器１３、露光器１４、現像器１５、一次転写ロール１６およびドラムクリーナ１７を有している。
【００１１】
中間転写ベルト２０は、張架ロール２１、２２に回転可能に掛け渡されている。これらの張架ロール２１、２２のうち、張架ロール２２は、中間転写ベルト２０を張架するとともに、中間転写ベルト２０を矢印Ｂ方向に回転駆動する。また、他の張架ロール２１は、張架ロール２２によって駆動される中間転写ベルト２０に従動して回転する。
【００１２】
二次転写装置３０は、中間転写ベルト２０を挟んで互いに対向する二次転写ロール３１とバックアップロール３２とを備えている。二次転写ロール３１は、転写部の一例であって、中間転写ベルト２０の外周面側に設けられ、バックアップロール３２は、中間転写ベルト２０の内周面側に設けられる。また、二次転写ロール３１は、中間転写ベルト２０を介して、バックアップロール３２に対して予め定めた圧力で押圧された状態となっている。そして、二次転写装置３０は、二次転写ロール３１とバックアップロール３２との間に形成された二次転写電界、および二次転写ロール３１とバックアップロール３２との間に形成された圧力により、中間転写ベルト２０上に保持されたトナー像を連続紙Ｐの表面に転写させる。なお、以下の説明において、トナー像が連続紙Ｐに転写される位置であって、バックアップロール３２に対して中間転写ベルト２０を挟んで二次転写ロール３１が対向する位置を、二次転写位置ＮＴと表記する場合がある。二次転写位置ＮＴが、対向位置の一例である。
【００１３】
また、本実施の形態の二次転写装置３０では、例えば画像形成装置１において連続紙Ｐに対する画像形成動作を停止する場合に、二次転写ロール３１がバックアップロール３２から離隔することで、バックアップロール３２に対する二次転写ロール３１の押圧を解除する。この例では、二次転写ロール３１はバックアップロール３２に対して鉛直方向の下方に移動して、バックアップロール３２から離隔する。これにより、中間転写ベルト２０から二次転写ロール３１および連続紙Ｐが離隔する。
【００１４】
定着部４０は、二次転写装置３０にて転写されたトナー像を、連続紙Ｐに定着する。定着部４０は、連続紙Ｐを挟んで対向する加熱部の一例としての予備加熱ロール４１および定着ロール４２を備えている。また、定着部４０は、予備加熱ロール４１と定着ロール４２との対向部を通過した連続紙Ｐに接触し、連続紙Ｐを冷却する第１冷却ロール４３および第２冷却ロール４４を備えている。さらに、定着部４０は、例えば画像形成装置１において画像形成動作を停止する場合に、連続紙Ｐを変位させる変位部の一例としての変位ロール４５を備えている。さらにまた、定着部４０は、予備加熱ロール４１と第１冷却ロール４３との間で連続紙Ｐの裏面に接触し、連続紙Ｐを支持する支持ロール４６を備えている。
なお、定着部４０の構成および動作については、後段にて詳細に説明する。
【００１５】
搬送部５０は、画像形成装置１において連続紙Ｐを張架し、搬送する。搬送部５０は、画像形成部１０に対して連続紙Ｐを供給する給紙装置５１と、画像形成部１０にて画像が形成された後の連続紙Ｐを回収する回収装置５２とを備えている。また、搬送部５０は、連続紙Ｐに接触し、連続紙Ｐを搬送する複数の搬送ロール５５を備えている。
【００１６】
給紙装置５１は、ロール状に巻かれた連続紙Ｐを巻き戻しながら画像形成部１０に供給する。具体的には、給紙装置５１は、ロール状に巻かれた連続紙Ｐを支持するとともに回転可能なロール部材５１Ａを有している。そして、ロール部材５１Ａが時計方向に回転することにより、ロール状に巻かれた連続紙Ｐが巻き戻され、画像形成部１０に供給される。
【００１７】
回収装置５２は、画像形成部１０にて画像が形成された連続紙Ｐをロール状に巻き取りながら回収する。具体的には、回収装置５２は、回転可能なロール部材５２Ａを有している。そして、回収装置５２は、不図示の駆動装置によりロール部材５２Ａが時計方向に回転されることで、連続紙Ｐがロール部材５２Ａの外周に巻き取られる。これにより、連続紙Ｐが引っ張られて、給紙装置５１のロール部材５１Ａから引き出される。また、画像形成装置１において、連続紙Ｐが図１において左から右へ向かう搬送方向に搬送される。
【００１８】
案内部６０は、定着部４０の変位ロール４５により連続紙Ｐが変位される場合に、連続紙Ｐが中間転写ベルト２０に接触しないように、連続紙Ｐを案内する。案内部６０は、二次転写位置ＮＴよりも連続紙Ｐの搬送方向の上流側で、連続紙Ｐの表面に接触する第２接触部の一例としての上流側接触ロール６１を備えている。また、案内部６０は、少なくとも変位ロール４５により連続紙Ｐが変位される場合に、二次転写位置ＮＴよりも連続紙Ｐの搬送方向の下流側で、連続紙Ｐの表面に接触する接触部または制限部の一例としての下流側接触ロール６２を備えている。
【００１９】
上流側接触ロール６１および下流側接触ロール６２は、樹脂材料や金属材料からなり、回転自在に支持されるロール部材により構成される。また、上流側接触ロール６１および下流側接触ロール６２の外周面には、例えばフッ素樹脂等からなる離型層が形成されていてもよい。
なお、案内部６０については、後段にて詳細に説明する。
【００２０】
制御部７０は、ＣＰＵ（Central Processing Unit）、ＲＯＭ（Read Only Memory）、ＲＡＭ（Random Access Memory）、およびＨＤＤ（Hard Disk Drive）（何れも不図示）により構成されている。ＣＰＵでは、処理プログラムが実行される。ＲＯＭには、各種プログラム、各種テーブル、パラメータ等が記憶されている。ＲＡＭは、ＣＰＵによる各種プログラムの実行時におけるワークエリア等として用いられる。
【００２１】
続いて、本実施の形態の画像形成装置１で行われる画像形成動作について説明する。以下に説明する画像形成動作は、制御部７０による制御のもとで実行される。
画像形成動作の開始に伴い、制御部７０により、不図示のパーソナルコンピュータ等で形成された画像データに対して画像処理が施される。また、制御部７０による制御に基づいて、画像形成部１０の各感光体ドラム１２および中間転写ベルト２０の回転が開始される。さらに、定着部４０において、予備加熱ロール４１および定着ロール４２のヒータに対する給電が開始される。
【００２２】
そして、各感光体ドラム１２の表面が、帯電器１３により予め定められた電位に帯電され、画像処理が施された画像データに基づいて露光器１４により露光される。これにより、それぞれの感光体ドラム１２上には、各色の静電潜像が形成される。そして、それぞれの感光体ドラム１２上に、黒（Ｋ）、イエロー（Ｙ）、マゼンタ（Ｍ）、シアン（Ｃ）の各色トナー像が形成される。
【００２３】
それぞれの感光体ドラム１２上に形成された各色トナー像は、移動する中間転写ベルト２０上に、一次転写ロール１６により順次静電吸引されて、各色トナー像が重畳された合成トナー像が形成される。中間転写ベルト２０上の合成トナー像は、中間転写ベルト２０の移動に伴って二次転写位置ＮＴに搬送される。
そして、合成トナー像が二次転写位置ＮＴに搬送されると、合成トナー像が二次転写位置ＮＴに搬送されるタイミングに合わせて、給紙装置５１および搬送ロール５５により、二次転写ロール３１に向けて連続紙Ｐが搬送される。これにより、二次転写ロール３１とバックアップロール３２との間に形成された二次転写電界の作用によって、合成トナー像が連続紙Ｐ上の予め定めた領域に一括して静電転写される。
【００２４】
続いて、連続紙Ｐにおいて合成トナー像が形成された領域は、回転する二次転写ロール３１によって搬送され中間転写ベルト２０から剥離された後、定着部４０まで搬送される。定着部４０では、予備加熱ロール４１および定着ロール４２によって熱および圧力により定着処理が施され、カラー画像が連続紙Ｐ上に形成される。続いて、連続紙Ｐにおいてカラー画像が形成された領域が第１冷却ロール４３および第２冷却ロール４４によって冷却される。
その後、連続紙Ｐにおいてカラー画像が形成された領域は、定着部４０から排出され、回収装置５２のロール部材５２Ａに巻き取られて回収される。
【００２５】
また、画像形成装置１において画像形成動作を停止する場合には、制御部７０による制御のもと、以下の処理が行われる。
まず、画像形成動作の停止に伴い、搬送部５０による連続紙Ｐの搬送が停止されるとともに、画像形成部１０の各感光体ドラム１２および中間転写ベルト２０の回転が停止される。また、定着部４０の予備加熱ロール４１および定着ロール４２のヒータに対する給電が停止される。
【００２６】
続いて、二次転写ロール３１が鉛直方向の下方へ移動され、バックアップロール３２および中間転写ベルト２０から離隔される。さらに、定着部４０において、定着ロール４２が予備加熱ロール４１から離隔される。
次に、搬送部５０による連続紙Ｐの搬送が行われ、連続紙Ｐにおける既に画像が形成された領域（例えば、画像形成部１０にて未定着のトナー像が形成された領域）が、画像形成部１０および定着部４０から排出される。
その後、定着部４０において変位ロール４５が移動され連続紙Ｐが変位される。
【００２７】
続いて、本実施の形態の定着部４０の構成について詳細に説明する。図２は、実施の形態１が適用される定着部４０を示した図である。ここで、図２は、画像形成装置１において連続紙Ｐに対する画像形成動作を行う場合の定着部４０であって、変位ロール４５によって連続紙Ｐが変位される前の定着部４０を示している。
【００２８】
上述したように、定着部４０は、画像形成部１０にて画像が形成された連続紙Ｐの画像形成面とは反対側の面である裏面に接触し、連続紙Ｐを加熱する予備加熱ロール４１を備えている。図２に示すように、変位ロール４５によって連続紙Ｐが変位される前の状態では、予備加熱ロール４１は、外周面に対して、連続紙Ｐが周方向に連続して接触するように巻き回されている。
また、定着部４０は、連続紙Ｐを挟んで予備加熱ロール４１に対向し、画像形成面である表面側から連続紙Ｐを加熱する定着ロール４２を備えている。定着ロール４２は、予備加熱ロール４１の外周面に連続紙Ｐが巻き回される領域のうち、連続紙Ｐの搬送方向の下流側で予備加熱ロール４１に対向する。
【００２９】
定着ロール４２は、予備加熱ロール４１に対して矢印Ｃ方向に移動し、予備加熱ロール４１に対して接離可能に構成されている。そして、定着部４０は、定着ロール４２が予備加熱ロール４１に対して押圧され、定着ロール４２と予備加熱ロール４１との間にニップ部が形成された加圧状態と、予備加熱ロール４１に対する定着ロール４２の押圧が解除され、予備加熱ロール４１と定着ロール４２とが互いに離隔した解除状態とに切り替えられるようになっている。
【００３０】
予備加熱ロール４１および定着ロール４２は、例えば、鉄、アルミニウム、ＳＵＳ等の金属により構成される円筒状の基体と、シリコーンゴム等の耐熱性の高い弾性体により構成され基体の外周に形成される耐熱弾性層と、例えばフッ素樹脂やシリコーン樹脂等の耐熱性を有する樹脂により構成され耐熱弾性層の表面に形成される離型層とを備える。また、予備加熱ロール４１および定着ロール４２は、基体の内周に配置されるヒータを備える。
【００３１】
また、定着部４０は、ニップ部を通過した連続紙Ｐの裏面に接触し、連続紙Ｐを冷却する第１冷却ロール４３と、第１冷却ロール４３よりも連続紙Ｐの搬送方向の下流側にて連続紙Ｐの表面に接触し、連続紙Ｐを冷却する第２冷却ロール４４とを備えている。この例では、第１冷却ロール４３および第２冷却ロール４４の外周面に対して、連続紙Ｐが周方向に連続して接触するように巻き回されている。また、第１冷却ロール４３および第２冷却ロール４４は、搬送部５０（図１参照）により搬送される連続紙Ｐに従動して回転するようになっている。第１冷却ロール４３および第２冷却ロール４４は、例えば、熱伝導性が高いアルミニウム等の金属からなる円筒状のロールにより構成される。
【００３２】
さらに、定着部４０は、例えば画像形成装置１において連続紙Ｐに対する画像形成動作を停止する場合に、連続紙Ｐを変位させる変位ロール４５を備えている。変位ロール４５は、画像形成装置１において画像形成動作を行う場合には、予備加熱ロール４１よりも連続紙Ｐの搬送方向の上流側で、連続紙Ｐの裏面に接触するように配置される。また、詳細については後述するが、変位ロール４５は、例えば画像形成装置１において画像形成動作を行わない場合に、定着部４０が加圧状態から解除状態に切り替えられた後、制御部７０による制御に基づいて、予備加熱ロール４１に対する位置が移動される。これにより、変位ロール４５に張架された連続紙Ｐが変位し、予備加熱ロール４１の外周面と連続紙Ｐとが周方向に接触する領域が短くなる。この例では、変位ロール４５に張架された連続紙Ｐが変位し、予備加熱ロール４１の外周面から連続紙Ｐが離隔する。なお、本実施の形態において、連続紙Ｐが変位されるとは、連続紙Ｐが張架されている位置が変更されることを意味し、搬送部５０等によって連続紙Ｐが搬送方向に移動されることとは異なる。
【００３３】
さらにまた、定着部４０は、予備加熱ロール４１と第１冷却ロール４３との間で連続紙Ｐの裏面に接触し、連続紙Ｐを支持する支持ロール４６を備えている。支持ロール４６は、予備加熱ロール４１および第１冷却ロール４３の外周面と比べて、連続紙Ｐの表面側、言い換えると予備加熱ロール４１に対して定着ロール４２が離隔する側に、配置されている。そして、変位ロール４５が移動する場合、連続紙Ｐは、裏面が支持ロール４６に接触した状態で変位される。
【００３４】
変位ロール４５および支持ロール４６は、樹脂材料や金属材料からなり、回転自在に支持されるロール部材により構成される。また、変位ロール４５および支持ロール４６の外周面には、例えばフッ素樹脂等からなる離型層が形成されていてもよい。
【００３５】
続いて、例えば画像形成装置１において画像形成動作を停止する場合の、定着部４０の動作について説明する。図３（ａ）、（ｂ）は、定着部４０の動作を説明するための図である。定着部４０の動作は、図３（ａ）、（ｂ）の順で進行する。また、以下の動作は、制御部７０による制御に基づいて行われる。
画像形成装置１において画像形成動作を停止する場合、定着部４０では、予備加熱ロール４１および定着ロール４２のヒータに対する給電が停止される。その後、定着ロール４２が予備加熱ロール４１から離隔され、定着部４０が解除状態に切り替えられる。具体的には、図３（ａ）に示すように、定着ロール４２が、予備加熱ロール４１から離れるように図中右下方向へ移動される。これにより、予備加熱ロール４１と定着ロール４２との間に空隙が形成される。
【００３６】
次いで、変位ロール４５が、予備加熱ロール４１に対して移動する。具体的には、図３（ａ）、（ｂ）に示すように、変位ロール４５は、移動の軌跡が予備加熱ロール４１よりも大径の円弧状となるように、予め定めた支点を中心として予備加熱ロール４１の周囲を移動する。また、鉛直方向の位置に着目すると、変位ロール４５は、図３（ａ）に示すように鉛直方向の上方へ移動した後に、図３（ｂ）に示すように鉛直方向の下方へ移動する。
【００３７】
そして、変位ロール４５が移動することで、変位ロール４５に張架される連続紙Ｐが、張力を維持した状態で変位する。具体的には、図３（ａ）に示すように、変位ロール４５に張架される連続紙Ｐが鉛直方向の上方へ移動し、予備加熱ロール４１の外周面と連続紙Ｐとが周方向に接触する領域が短くなる。続いて、図３（ｂ）に示すように、変位ロール４５に張架される連続紙Ｐが、支持ロール４６を支点として予備加熱ロール４１から離れるように移動する。これにより、図３（ｂ）に示すように、予備加熱ロール４１の外周面と連続紙Ｐとが周方向に接触する領域が短くなり、連続紙Ｐが予備加熱ロール４１の外周面から離隔する。付言すると、変位ロール４５と支持ロール４６との間に張架される連続紙Ｐが、予備加熱ロール４１と定着ロール４２との間に形成された空隙に移動する。
【００３８】
このように、本実施の形態の定着部４０では、例えば画像形成動作を停止する場合等に、変位ロール４５によって連続紙Ｐを変位させ予備加熱ロール４１から離隔させることで、予備加熱ロール４１からの熱によって連続紙Ｐが予備加熱ロール４１に貼り付いたり、連続紙Ｐが損傷したりすることが抑制される。
【００３９】
ここで、変位ロール４５を移動させると、図３（ａ）にて矢印Ｄで示すように、変位ロール４５に張架される連続紙Ｐは、変位ロール４５が移動する前と比べて鉛直方向の上方へ変位する。言い換えると、変位ロール４５を移動させると、変位ロール４５に張架される連続紙Ｐは、変位ロール４５が移動する前と比べて中間転写ベルト２０に近づくように変位する。そして、連続紙Ｐが中間転写ベルト２０に近づくように変位すると、連続紙Ｐが中間転写ベルト２０に接触し、中間転写ベルト２０に傷等が生じるおそれがある。
これに対し、本実施の形態では、連続紙Ｐを案内部６０により案内することで、連続紙Ｐが中間転写ベルト２０に接触することを抑制している。
【００４０】
続いて、二次転写装置３０、定着部４０および案内部６０を構成する各部材の位置関係について詳細に説明する。図４（ａ）、（ｂ）は、二次転写装置３０、定着部４０および案内部６０を構成する各部材の位置関係を説明する図である。図４（ａ）は、連続紙Ｐに対する画像形成動作を行う場合であって、変位ロール４５によって連続紙Ｐが変位される前の状態を示している。また、図４（ｂ）は、例えば画像形成動作を停止し、変位ロール４５が図３（ａ）に示す位置に移動して連続紙Ｐが変位した状態を示している。さらに、図４（ａ）、（ｂ）には、連続紙Ｐ、二次転写装置３０の二次転写ロール３１およびバックアップロール３２、定着部４０の予備加熱ロール４１および変位ロール４５、案内部６０の上流側接触ロール６１および下流側接触ロール６２を示している。
【００４１】
図４（ａ）に示すように、定着部４０の予備加熱ロール４１は、二次転写位置ＮＴと比べて、鉛直方向の下方に位置している。これにより、予備加熱ロール４１の外周面に対して連続紙Ｐが接触する位置は、二次転写位置ＮＴと比べて鉛直方向の下方に位置している。
【００４２】
案内部６０の上流側接触ロール６１は、上述したように、二次転写位置ＮＴよりも連続紙Ｐの搬送方向の上流側に設けられる。そして、図４（ａ）に示すように、上流側接触ロール６１は、二次転写位置ＮＴと比べて鉛直方向の下方に位置し、連続紙Ｐの表面に接触するように配置される。これにより、連続紙Ｐは、上流側接触ロール６１に案内されることで、二次転写位置ＮＴに対して鉛直方向の下方から進入するようになっている。付言すると、連続紙Ｐは、上流側接触ロール６１に案内されることで、二次転写位置ＮＴに対して、二次転写ロール３１側から進入するようになっている。
【００４３】
案内部６０の下流側接触ロール６２は、上述したように、二次転写位置ＮＴよりも連続紙Ｐの搬送方向の下流側、且つ予備加熱ロール４１よりも連続紙Ｐの搬送方向の上流側に設けられる。そして、図４（ａ）に示すように、下流側接触ロール６２は、二次転写位置ＮＴと比べて鉛直方向の下方、且つ、予備加熱ロール４１と比べて鉛直方向の上方に位置する。
また、変位ロール４５によって連続紙Ｐが変位されていない状態では、図４（ａ）に示すように、下流側接触ロール６２は、連続紙Ｐと比較して鉛直方向の上方に位置し、連続紙Ｐの表面には接触していない。画像形成動作を行う場合、二次転写位置ＮＴと定着部４０との間では、表面に未定着のトナー像が形成された連続紙Ｐが搬送される。このため、下流側接触ロール６２を連続紙Ｐの表面に対して接触しないように配置することで、下流側接触ロール６２によって未定着のトナー像が乱されたり、下流側接触ロール６２にトナーが付着したりすることが抑制される。
【００４４】
続いて、図４（ｂ）を参照して、変位ロール４５によって連続紙Ｐが変位された状態の、二次転写装置３０、定着部４０および案内部６０を構成する各部材の位置関係を説明する。上述したように、例えば画像形成動作を停止する場合には、バックアップロール３２および中間転写ベルト２０から離隔した後、変位ロール４５が予備加熱ロール４１に対して移動して連続紙Ｐが変位する。
【００４５】
変位ロール４５が予備加熱ロール４１に対して移動すると、連続紙Ｐは、鉛直方向の上方であって、中間転写ベルト２０へ近づく方向へ変位する。そして、下流側接触ロール６２が、連続紙Ｐの表面に接触する。より具体的には、下流側接触ロール６２が、連続紙Ｐの表面に対して、連続紙Ｐの変位方向の下流側である鉛直方向の上方から接触する。
また、二次転写位置ＮＴよりも搬送方向の上流側では、上流側接触ロール６１が連続紙Ｐの表面に接触するように配置されている。
【００４６】
これにより、上流側接触ロール６１よりも搬送方向の下流側、且つ下流側接触ロール６２よりも搬送方向の上流側の領域では、連続紙Ｐの中間転写ベルト２０へ近づく方向への変位が制限される。
この結果、変位ロール４５によって連続紙Ｐが変位された場合であっても、連続紙Ｐの表面が中間転写ベルト２０に接触することが抑制される。
【００４７】
なお、上述したように、例えば画像形成動作が停止され変位ロール４５によって連続紙Ｐが変位される場合には、連続紙Ｐのうち未定着トナー像が形成された領域は、定着部４０から排出されている。したがって、下流側接触ロール６２が連続紙Ｐの表面に接触した場合であっても、トナー像の乱れや下流側接触ロール６２に対するトナーの付着等の問題は生じにくい。
【００４８】
また、本実施の形態の画像形成装置１では、上流側接触ロール６１が連続紙Ｐの表面に接触することで、連続紙Ｐが二次転写位置ＮＴに対して二次転写ロール３１側から進入する。しかしながら、画像形成装置１は、連続紙Ｐを搬送する搬送ロール５５や二次転写位置ＮＴとの位置関係等によって、連続紙Ｐが二次転写位置ＮＴに対して二次転写ロール３１側から進入していれば、必ずしも上流側接触ロール６１を備えなくてもよい。
【００４９】
（実施の形態２）
続いて、本発明の実施の形態２について説明する。図５は、実施の形態２が適用される二次転写装置３０、定着部４０および案内部６０を構成する各部材を示した図である。なお、図５では、例えば画像形成動作を停止し、変位ロール４が図３（ａ）に示す位置に移動して連続紙Ｐが変位した状態を示している。
実施の形態２の画像形成装置１（図１参照）は、上流側接触ロール６１（図４（ａ）、（ｂ）参照）に代えて、第３接触部の一例としての上流側接触ロール６３を備えている。
【００５０】
上流側接触ロール６３は、二次転写位置ＮＴよりも連続紙Ｐの搬送方向の上流側に設けられる。また、図５に示すように、上流側接触ロール６３は、二次転写位置ＮＴと比べて鉛直方向の下方、且つ、バックアップロール３２および中間転写ベルト２０から離隔した二次転写ロール３１と比べて鉛直方向の上方に位置している。
そして、二次転写ロール３１がバックアップロール３２および中間転写ベルト２０から離隔し、変位ロール４５によって連続紙Ｐが変位された場合、上流側接触ロール６３は、連続紙Ｐの裏面に接触する。
【００５１】
これにより、本実施の形態では、連続紙Ｐの裏面が二次転写ロール３１に接触することが抑制される。そして、二次転写ロール３１の表面に付着した汚れ等が連続紙Ｐの裏面に付着することが抑制される。
【００５２】
なお、画像形成装置１は、二次転写ロール３１と下流側接触ロール６２との位置関係、連続紙Ｐを搬送する搬送ロール５５や二次転写位置ＮＴとの位置関係等によって、二次転写ロール３１に連続紙Ｐの裏面が接触しなければ、必ずしも上流側接触ロール６３を備えなくてもよい。
【００５３】
以上、本発明の実施の形態について説明したが、本発明は上述した実施の形態に限定されるものではない。
例えば、上述した実施の形態では、二次転写位置ＮＴよりも搬送方向の下流側に設けられる定着部４０において連続紙Ｐを変位させる場合に、中間転写ベルト２０に対する連続紙Ｐの接触を抑制する場合を例に挙げたが、これに限定されるものではない。本発明は、例えば画像形成装置１において、メンテナンスや連続紙Ｐの張力調整等を目的として、二次転写位置ＮＴよりも搬送方向の上流側で連続紙Ｐを変位させる場合にも適用することができる。二次転写位置ＮＴよりも搬送方向の上流側で連続紙Ｐを変位させる場合、連続紙Ｐを変位させる変位部よりも搬送方向の下流側、且つ二次転写位置ＮＴよりも搬送方向の上流側に、連続紙Ｐに対して表面側から接触し連続紙Ｐと中間転写ベルト２０とが接触することを抑制する接触部を設ければよい。
その他、上述した実施の形態は、本発明の趣旨に反しない限りにおいては、様々な変形や組み合わせを行っても構わない。
【符号の説明】
【００５４】
１…画像形成装置、１０…画像形成部、２０…中間転写ベルト、３０…二次転写装置、３１…二次転写ロール、３２…バックアップロール、４０…定着部、４１…予備加熱ロール、４２…定着ロール、４５…変位ロール、４６…支持ロール、５０…搬送部、６０…案内部、６１、６３…上流側接触ロール、６２…下流側接触ロール、７０…制御部
【図１】
2020154265.tif 000003
【図２】
2020154265.tif 000004
【図３】
2020154265.tif 000005
【図４】
2020154265.tif 000006
【図５】
2020154265.tif 000007